(57)【特許請求の範囲】
【請求項１】
カラー通信可能な画像通信装置において、
所定のメデイアをセットする手段と；
上記メデイアに格納されている情報を入力する入力手段と；
上記メデイアに格納されている情報のピクセル数を認識するピクセル数認識手段と；
上記メデイアに格納されている情報を、ファクシミリ情報に変換し、カラーファクシミリ通信を実行するカラーファクシミリ実行手段と；
上記メデイアに格納されている情報の送信が選択されたときに、上記メデイアに格納されている上記情報を所定の共通サイズに変倍して送信するか、または、メデイアに格納されている上記情報のピクセル数を同一としたまま余白部を付加して上記情報のサイズを変更して送信するかを選択する選択手段と；
を有することを特徴とする画像通信装置。
【請求項２】
カラー通信可能な画像通信方法において、
所定のメデイアに格納されている情報を入力する入力段階と；
上記メデイアに格納されている情報のピクセル数を認識するピクセル数認識段階と；
上記メデイアに格納されている情報を、ファクシミリ情報に変換し、カラーファクシミリ通信を実行するカラーファクシミリ実行段階と；
上記メデイアに格納されている情報の送信が選択されたときに、上記メデイアに格納されている上記情報を所定の共通サイズに変倍して送信するか、または、メデイアに格納されている上記情報のピクセル数を同一としたまま余白部を付加して上記情報のサイズを変更して送信するかを選択する選択段階と；
を有することを特徴とする画像通信方法。
【発明の詳細な説明】
【０００１】
【発明の属する技術分野】
本発明は、ファクシミリ装置、特に、カラー通信可能なファクシミリ装置等の画像通信装置および画像通信方法に関する。
【０００２】
【従来の技術】
従来のカラー通信可能なファクシミリ装置は、基本的には、カラー原稿をカラーで読み取り、この読み取ったカラー情報を、相手ファクシミリ装置に送信するものである。
【０００３】
ところで、最近は、デジタルカメラの普及に伴い、デジタルカメラで撮影したカラー情報を通信するニーズが発生している。
【０００４】
ここで、デジタルカメラで撮影したカラー情報を、ＣＦ（コンパクトフラッシュ（登録商標）メモリ）カード等に格納し、このＣＦカード等をファクシミリ装置のカードスロットにセットし、このＣＦカードから読み出したカラー情報を、カラーファクシミリ情報に変換し、送信する。
【０００５】
デジタルカメラで撮影するピクセル数は、主走査方向のピクセル数、副走査方向のピクセル数の組み合わせが多数存在する。たとえば、２００万画素のデジタルカメラで撮影可能なピクセル数は、（主走査方向、副走査方向）＝（１６００ピクセル、１２００ピクセル）、または、（１２８０ピクセル、９６０ピクセル）、または、（１０２４ピクセル、７６８ピクセル）、または、（６４０ピクセル、４８０ピクセル）である。
【０００６】
【発明が解決しようとする課題】
ここで、上記デジタルカメラで撮影した情報を、ＩＴＵ−Ｔ勧告に基づいたカラー通信を行うことを考えると、主走査、副走査ともに、２００ｄｐｉで送信することが基本である。
【０００７】
Ａ４サイズの情報でファクシミリカラー送信することを考えると、主走査は、１７２８ドットであり、副走査は、約２３４０ラインである。
【０００８】
デジタルカメラで撮影した画像の画素は、上記従来例で示したように、複数存在するので、カラーファクシミリ送信をどのようにすれば適切であるかを判断することが困難であるという問題がある。
【０００９】
たとえば、デジタルカメラで撮影した情報を、全てＡ４サイズで送信すると、（６４０ピクセル、４８０ピクセル）で撮影した情報は、主走査、副走査ともにそれぞれ、約３倍に単純拡大され、カラーファクシミリ送信し、解像度の向上はほとんど無く、通信時間のみ多くかかるという問題がある。
【００１０】
上記問題は、ファクシミリ装置以外の画像通信装置においても生じる問題である。
【００１１】
本発明は、デジタルカメラで撮影した画像の画素をカラーファクシミリ送信する場合、そのカラーファクシミリ送信を適切に実行することが容易である画像通信装置および画像通信方法を提供することを目的とするものである。
【００１２】
本発明は、カラー通信可能な画像通信装置において、所定のメデイアをセットする手段と、上記メデイアに格納されている情報を入力する入力手段と、上記メデイアに格納されている情報のピクセル数を認識するピクセル数認識手段と、上記メデイアに格納されている情報を、ファクシミリ情報に変換し、カラーファクシミリ通信を実行するカラーファクシミリ実行手段と、上記メデイアに格納されている情報の送信が選択されたときに、上記メデイアに格納されている上記情報を所定の共通サイズに変倍して送信するか、または、メデイアに格納されている上記情報のピクセル数を同一としたまま余白部を付加して上記情報のサイズを変更して送信するかを選択する選択手段とを有する画像通信装置である。
【００１３】
【発明の実施の形態および実施例】
［第１の実施例］
図１は、本発明の一実施例であるファクシミリ装置ＦＳ１を示すブロック図である。
【００１４】
ＮＣＵ（網制御装置）２は、電話網をデータ通信等使用するために、その回線の端末に接続し、電話交換網の接続制御を行ったり、データ通信路への切り換えを行ったり、ループの保持を行うものである。また、ＮＣＵ２は、バス２６からの制御によって、電話回線２ａを電話機４側に接続（ＣＭＬオフ）したり、電話回線２ａをファクシミリ装置側に接続（ＣＭＬオン）するものである。なお、通常状態では、電話回線２ａは、電話機４側に接続されている。
【００１５】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１６】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１７】
発呼回路１０は、バス２６からの信号によって、電話番号情報を入力し、信号線１０ａにＤＴＭＦの選択信号を出力する。
【００１８】
加算回路１２は、信号線８ａの情報と信号線１０ａの情報とを入力し、加算した結果を信号線１２ａに出力する。
【００１９】
カラー情報を読み取り可能な読取回路１４は、読み取りデータをバス２６に出力する。
【００２０】
カラー情報を記録可能な記録回路１６は、バス２６に出力されている情報を順次記録する。
【００２１】
メモリ回路１８は、ワーク用のメモリ（ＲＡＭ）、さらに、読み取りデータの生情報、または、符号化した情報を格納したり、また、受信情報、または、復号化した情報等を、バス２６を介して格納するために使用する。
【００２２】
操作部２０は、ワンタッチダイヤル、短縮ダイヤル、テンキー、＊キー、＃キー、スタートキー、ストップキー、セットキー、デジタルカメラ情報送信選択キー、カラー送信選択キー（原稿送信時に有効）、その他のファンクションキーを有する。押下されたキー情報は、バス２６に出力される。
【００２３】
なお、上記デジタルカメラ情報送信選択キーは、メデイアに格納されている情報の送信を選択しているときに、メデイアに格納されているピクセル数と無関係に、所定サイズとして送信するか、メデイアに格納されているピクセル数に基づいて、有効情報のサイズを変更して送信するかを選択するキーである。
【００２４】
また、操作部２０には、表示部が設けられ、バス２６に出力されている情報を入力し、表示する。
【００２５】
ＣＰＵ（中央処理装置）２２は、ファクシミリ装置全体の制御をしたり、ファクシミリ伝送制御手順を実行するが、その制御プログラムは、ＲＯＭ２４に格納される。
【００２６】
カードインタフェース２８は、ここに、コンパクトフラッシュ（登録商標）カード（ＣＦカード）等のカードを格納できる。なお、バス２６を介して、ＣＰＵ２２からコンパクトフラッシュ（登録商標）カードへデータを書き込んだり、また、コンパクトフラッシュ（登録商標）カードに格納されているデータを、ＣＰＵ２２が読み出す。
【００２７】
ＲＯＭ２４は、カラー通信可能なファクシミリ装置において、所定のメデイアに格納されている情報を入力する入力手段と、上記メデイアに格納されている情報のピクセル数を認識するピクセル数認識手段と、上記メデイアに格納されている情報を、ファクシミリ情報に変換し、カラーファクシミリ通信を実行するカラーファクシミリ実行手段と、上記メデイアに格納されている情報の送信が選択されたときに、上記メデイアに格納されている画像のピクセル数とは無関係に、所定サイズとして送信するか、または、メデイアに格納されている画像のピクセル数に基づいて、有効情報のサイズを変更して送信するかを選択する選択手段とを実現するプログラムを格納しているメモリである。
【００２８】
ここで、メデイアに格納されている情報の送信が選択されているときに、メデイアに格納されている画像のピクセル数と無関係に、所定サイズとして送信することが選択される場合は、Ａ５サイズの横情報として送信する。また、メデイアに格納されている情報の送信が選択されているときに、メデイアに格納されている画像のピクセル数に基づいて、有効情報のサイズを変更して送信することが選択されている場合、メデイアに格納されている送信対象画像のピクセル数に全白情報を付加し、所定サイズとして送信する。
【００２９】
図２〜図１０は、上記実施例の動作を示すフローチャートである。
【００３０】
Ｓ２では、バス２６を介して、メモリ１８をイニシャライズし、Ｓ４では、バス２６を介して、操作部２０の表示部をクリアし、Ｓ６では、バス２６を介して、ＮＣＵ２のＣＭＬをオフする。
【００３１】
Ｓ８では、ファクシミリ送信が選択されたか否かを判断し、ファクシミリ送信が選択されていれば、ステップＳ１２に進み、ファクシミリ送信が選択されていなければ、ステップＳ１０に進み、その他の処理を実行する。
【００３２】
Ｓ１２では、バス２６を介して、ＮＣＵ２のＣＭＬをオンし、Ｓ１４では、バス２６を介して、発呼回路１０を使用し、指定された宛先へ発呼し、Ｓ１６では、前手順を実行する。
【００３３】
Ｓ１８では、バス２６を介して操作部２０の情報を入力し、デジタルカメラで撮影した情報であって、ＣＦカード等のメデイアに格納されている情報の送信が選択されたか否かを判断し、メデイアに格納されているデジタルカメラで撮影した情報の送信が選択されていれば、ステップＳ２０に進み、メデイアに格納されているデジタルカメラで撮影した情報の送信が選択されていなければ、ステップＳ１４２に進む。
【００３４】
Ｓ２０では、バス２６を介して操作部２０の情報を入力し、デジタルカメラで撮影した情報であって、ＣＦカード等のメデイアに格納されている情報のうちで、有効ピクセルのみを、同一画素サイズで送信することが選択されたか否かを判断し、有効ピクセルのみを同一画素サイズで送信することが選択されていれば、ステップＳ２２に進み、有効ピクセルのみを同一画素サイズで送信することが選択されていなければ、ステップＳ８０に進む。
【００３５】
Ｓ２２では、相手受信機から受信したＤＩＳ信号から、相手機にＪＰＥＧ受信機能があり、しかも、フルカラー受信機能があるか否かを判断し、相手機にＪＰＥＧ受信機能があり、しかも、フルカラー受信機能があれば、ステップＳ２４に進み、そうでなければ、ステップＳ５８に進む。
【００３６】
Ｓ２４〜Ｓ５６では、デジタルカメラで撮影した情報のうちで、有効ピクセルのみを、同一画素サイズ（余白部は白情報とする）でカラーファクシミリ送信する。
【００３７】
Ｓ２４では、残りの前手順を実行し、ここで、ＪＰＥＧ送信を指定し、また、フルカラー送信を指定し、Ｓ２６では、ＣＦカードから、ＪＰＥＧ符号化されたデータを入力し、Ｓ２８では、ハフマン復号化を実行し、Ｓ３０では、２次元化を実行し、Ｓ３２では、逆量子化を実行し、Ｓ３４では、逆ＤＣＴ変換を実行し、Ｓ３５では、逆サブサンプリングを実行し、Ｓ３６では、ＹＣｂＣｒをＲＧＢに色変換する。ここで、有効ピクセル以外の余白部を白とし、また、Ｘパラメータは、１７２８ビットとする。
【００３８】
Ｓ３８では、ＲＧＢをＬａｂに色変換し、Ｓ４０では、サブサンプリングを実行し、Ｓ４２では、ＤＣＴ変換を実行し、Ｓ４４では、量子化を実行し、Ｓ４６では、１次元化を実行し、Ｓ４８では、ハフマン符号化を実行し、Ｓ５０では、カラーファクシミリ画信号を送信し、Ｓ５２では、中間手順を実行する。
【００３９】
Ｓ５４では、次情報があるか否かを判断し、次情報があれば、ステップＳ２６に進み、次情報がなければ、ステップＳ５６に進む。
【００４０】
Ｓ５６では、後手順を実行し、Ｓ５８からＳ７８では、デジタルカメラで撮影した情報であって、ＣＦカード等のメデイアに格納されている情報について、有効ピクセルのみを同一画素サイズ（余白部は白情報とする）で、モノクロファクシミリ送信する。
【００４１】
Ｓ５８では、残りの前手順を実行し、ここで、ＪＰＥＧ送信を指定しないで、また、フルカラー送信を指定しない。
【００４２】
Ｓ６０では、ＪＰＥＧ符号化されたデータを、カードから入力し、Ｓ６２では、ハフマン復号化を実行し、Ｓ６４では、２次元化を実行し、Ｓ６６では、逆量子化を実行し、Ｓ６８では、逆ＤＣＴ変換を実行し、Ｓ６９では、逆サブサンプリングを実行し、Ｓ７０では、ＹＣｂＣｒをＲＧＢに色変換し、ここで、有効ピクセル以外の余白部を白にする。また、Ｘパラメータは、１７２８ビットであるとする。
【００４３】
Ｓ７２では、ＲＧＢをＬａｂに色変換し、Ｓ７４では、Ｌ成分を２値化し、モノクロファクシミリ画信号を送信し、Ｓ７６では、中間手順を実行する。
【００４４】
Ｓ７８では、次情報があるか否かを判断し、次情報があれば、ステップＳ６０に進み、次情報がなければ、ステップＳ５６に進む。
【００４５】
Ｓ８０では、相手受信機から受信したＤＩＳ信号から、相手機にＪＰＥＧ受信機能があり、しかも、フルカラー受信機能があるか否かを判断し、相手機にＪＰＥＧ受信機能があり、しかも、フルカラー受信機能があるとＳ８２に進み、そうでなければ、ステップＳ１１６に進む。
【００４６】
Ｓ８２〜Ｓ１１４では、デジタルカメラで撮影した情報であって、ＣＦカード等のメデイアに格納されている情報のうちで、有効ピクセルを変倍し、全てＡ５横情報に変換し、カラーファクシミリ送信する。
【００４７】
Ｓ８２では、残りの前手順を実行し、ここで、ＪＰＥＧ送信を指定し、また、フルカラー送信を指定する。
【００４８】
Ｓ８４は、ＪＰＥＧ符号化されたデータを、カードから入力し、Ｓ８６では、ハフマン復号化を実行し、Ｓ８８では、２次元化を実行し、Ｓ９０では、逆量子化を実行し、Ｓ９２では、逆ＤＣＴ変換を実行し、Ｓ９３では、逆サブサンプリングを実行し、Ｓ９４では、ＹＣｂＣｒをＲＧＢに色変換し、Ｓ９６では、主走査１７２８画素、副走査１１７０画素（すなわち、２００ｄｐｉ相当でＡ５横情報にする）に変倍することを実行し、ここで、必要に応じて９０度、回転する。
【００４９】
Ｓ９８では、ＲＧＢをＬａｂに色変換し、Ｓ１００では、サブサンプリングし、Ｓ１０２では、ＤＣＴ変換し、Ｓ１０４では、量子化を実行し、Ｓ１０６では、１次元化を実行し、Ｓ１０８では、ハフマン符号化を実行し、Ｓ１１０では、カラーファクシミリ画信号を送信し、ここで、Ｘパラメータは、１７２８ビットとする。
【００５０】
Ｓ１１２では、中間手順を実行し、Ｓ１１４では、次情報があるか否かを判断し、次情報があれば、ステップＳ８４に進み、次情報がなければ、ステップＳ５６に進む。
【００５１】
Ｓ１１６〜Ｓ１４０では、デジタルカメラで撮影した情報であって、ＣＦカード等のメデイアに格納されている情報のうちで、有効ピクセルを変倍し、全てＡ５横情報に変換し、モノクロファクシミリ送信する。
【００５２】
Ｓ１１６では、残りの前手順を実行し、ここで、ＪＰＥＧ送信を指定しないで、また、フルカラー送信を指定しない。
【００５３】
Ｓ１１８では、ＪＰＥＧ符号化されたデータを、カードから入力し、Ｓ１２０では、ハフマン復号化を実行し、Ｓ１２２では、２次元化を実行し、Ｓ１２４では、逆量子化を実行し、Ｓ１２６では、逆ＤＣＴ変換を実行し、Ｓ１２７では、逆サブサンプリングを実行し、Ｓ１２８では、ＹＣｂＣｒをＲＧＢに色変換する。
【００５４】
Ｓ１３０では、ＲＧＢをＬａｂに色変換し、Ｓ１３２では、Ｌ成分を２値化し、Ｓ１３４では、主走査１７２８画素、副走査１１７０画素（すなわち、２００ｄｐｉ相当でＡ５横情報にする）に変倍し、ここで、必要に応じて９０度、回転する。
【００５５】
Ｓ１３６では、Ａ５横情報のモノクロファクシミリ画信号を送信し、Ｓ１３８では、中間手順を実行し、Ｓ１４０では、次情報が残っているか否かを判断し、次情報が残っていれば、ステップＳ１１８に進み、次情報が残っていなければ、ステップＳ５６に進む。
【００５６】
Ｓ１４２では、バス２６を介して操作部２０の情報を入力し、原稿情報のカラー送信が選択されたか否かを判断し、原稿情報のカラー送信が選択されていれば、ステップＳ１４３に進み、原稿情報のカラー送信が選択されていなければ、ステップＳ１５０に進む。
【００５７】
Ｓ１４３では、相手受信機から受信したＤＩＳ信号から、相手機にＪＰＥＧ受信機能があり、しかも、フルカラー受信機能があるか否かを判断し、相手機にＪＰＥＧ受信機能があり、しかも、フルカラー受信機能があれば、ステップＳ１４４に進み、そうでなければ、ステップＳ１５０に進む。
【００５８】
Ｓ１４４〜Ｓ１４８では、原稿情報をカラーファクシミリ送信する。
【００５９】
Ｓ１４４では、残りの前手順を実行し、ここで、ＪＰＥＧ送信を指定し、また、フルカラー送信を指定する。
【００６０】
Ｓ１４６では、ＲＧＢでの画信号を読み取り、Ｌａｂへの色変換、サブサンプリング、ＤＣＴ変換、量子化、１次元化、ハフマン符号化、Ａ４サイズでのカラーファクシミリ送信を実行し、ここで、Ｘパラメータを１７２８ビットにする。
【００６１】
Ｓ１４８では、次ページがあるか否かを判断し、次ページがあれば、ステップＳ１４６に進み、次ページがなければ、ステップＳ５６に進む。
【００６２】
Ｓ１５０〜Ｓ１５４は、原稿情報をモノクロファクシミリ送信する。
【００６３】
Ｓ１５０では、残りの前手順を実行し、ここで、ＪＰＥＧ送信を指定しないで、また、フルカラー送信を指定しない。
【００６４】
Ｓ１５２では、モノクロ画信号を読み取り、モノクロファクシミリ送信を実行し、Ｓ１５４では、次ページがあるか否かを判断し、次ページがあれば、ステップＳ１５２に進み、次ページがなければ、ステップＳ５６に進む。
【００６５】
上記実施例によれば、デジタルカメラで撮影した情報を、ＩＴＵ−Ｔ勧告に基づくカラー通信する場合、主走査、副走査ともに、２００ｄｐｉで送信することが基本であり、Ａ４サイズの情報でファクシミリカラー送信することを考える場合、主走査が１７２８ドットであり、副走査が約２３４０ラインである。
【００６６】
デジタルカメラで撮影した画像の画素は、複数種類存在する。たとえば、デジタルカメラで撮影した情報を全てＡ４サイズで送信すると、（６４０ピクセル、４８０ピクセル）で撮影した情報は、主走査、副走査ともに、それぞれ、約３倍に単純拡大され、カラーファクシミリ送信し、他のデジタルカメラで撮影した（１６００ピクセル、１２００ピクセル）、または、（１２８０ピクセル、９６０ピクセル）、または、（１０２４ピクセル、７６８ピクセル）と、同一サイズの情報（たとえば、Ａ５横の情報として送信する）として、カラーファクシミリ通信するか、または、デジタルカメラで撮影したピクセルと同じにして、カラーファクシミリ通信のビット数を決定するかを、ユーザの選択で決定することができる。
【００６７】
つまり、上記実施例によれば、メデイアに格納されている情報の送信が選択されているときに、メデイアに格納されている送信対象画像のピクセル数に無関係に所定サイズとして送信することが選択される場合は、Ａ５サイズの横情報として送信することができる。
【００６８】
上記実施例によれば、メデイアに格納された情報を送信することが選択されたときに、メデイアに格納されている送信対象画像のピクセル数に基づいて有効情報のサイズを変更して送信することが選択されれば、メデイアに格納されている送信対象画像のピクセル数に全白情報を付加して所定サイズとして送信することができる。
【００６９】
なお、ファクシミリ装置以外の画像通信装置に、上記実施例を適用するようにしてもよい。
【００７０】
【発明の効果】
本発明によれば、デジタルカメラで撮影した画像の画素をカラーファクシミリ送信する場合、そのカラーファクシミリ送信を適切に実行することが容易であるという効果を奏する。
【図面の簡単な説明】
【図１】本発明の一実施例であるファクシミリ装置ＦＳ１を示すブロック図である。
【図２】上記実施例の動作を示すフローチャートである。
【図３】上記実施例の動作を示すフローチャートである。
【図４】上記実施例の動作を示すフローチャートである。
【図５】上記実施例の動作を示すフローチャートである。
【図６】上記実施例の動作を示すフローチャートである。
【図７】上記実施例の動作を示すフローチャートである。
【図８】上記実施例の動作を示すフローチャートである。
【図９】上記実施例の動作を示すフローチャートである。
【図１０】上記実施例の動作を示すフローチャートである。
【符号の説明】
ＦＳ１……ファクシミリ装置、
２……ＮＣＵ、
４……電話機、
６……ハイブリッド回路、
８……変復調器、
１０……発呼回路、
１２……加算回路、
１４……読取回路、
１６……記録回路、
１８……メモリ回路、
２０……操作部、
２２……ＣＰＵ、
２４……ＲＯＭ、
２６……バス、
２８……カードインタフェース。
【図１】
0004514180.tif 000002
【図２】
0004514180.tif 000003
【図３】
0004514180.tif 000004
【図４】
0004514180.tif 000005
【図５】
0004514180.tif 000006
【図６】
0004514180.tif 000007
【図７】
0004514180.tif 000008
【図８】
0004514180.tif 000009
【図９】
0004514180.tif 000010
【図１０】
0004514180.tif 000011